(57)【要約】【目的】ドライブ中に利用できる電子クーポンを容易に検索・携帯できるシステム等を提供することを目的とする。【解決手段】運転手に進路を知らせるナビゲーション装置２が、経路とその経路で利用できる電子クーポンとからなる経路関連情報を受信し、経路をナビゲーション装置２に備えられた記憶手段に記憶し、電子クーポンを電子クーポンを携帯するための携帯電話３に転送する。【選択図】  図２
2004279299.tif 000002
【特許請求の範囲】
【請求項１】
運転手に進路を知らせるナビゲーション手段を含むものであり、
前記ナビゲーション手段は、経路とその経路で利用できる電子クーポンとからなる経路関連情報を受信し、前記経路を前記ナビゲーション手段に備えられた記憶手段に記憶し、前記電子クーポンを電子クーポンを携帯するための携帯手段に転送することを特徴とする電子クーポン利用システム。
【請求項２】
前記経路関連情報には前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを利用できる店舗が近い旨を運転手に告知することを特徴とする請求項１記載の電子クーポン利用システム。
【請求項３】
前記経路関連情報には前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを表示すべき表示命令を電子クーポンを携帯する携帯手段に送信することを特徴とする請求項１記載の電子クーポン利用システム。
【請求項４】
電子クーポンを携帯するための携帯手段を含むものであり、前記携帯手段は、運転手に進路を知らせるナビゲーション手段から表示命令を受信し、その表示命令に応じて前記携帯手段に備えられている表示手段に前記電子クーポンを表示することを特徴とする電子クーポン利用システム。
【請求項５】
電子クーポンを携帯するための携帯手段を含むものであり、前記携帯手段は、経路とその経路で利用できる電子クーポンとからなる経路関連情報を受信し、前記電子クーポンを前記携帯手段に備えられた記憶手段に記憶し、前記経路を運転手に進路を知らせるナビゲーション手段に転送することを特徴とする電子クーポン利用システム。
【請求項６】
経路とその経路で利用できる電子クーポンとを記憶する電子クーポン提供手段を含むものであり、
前記電子クーポン提供手段は、運転手に進路を知らせるナビゲーション手段又は電子クーポンを携帯するための携帯手段から経路関連情報を要求するための経路要求情報を受信し、前記経路関連情報を前記ナビゲーション手段又は前記携帯手段に送信することを特徴とする電子クーポン利用システム。
【請求項７】
前記経路情報要求情報には運転時が含まれ、前記経路関連情報にはクーポンの利用可能時が設定されており、
前記電子クーポン提供手段は、前記運転時と前記利用可能時とに基づいて前記ナビゲーション手段又は前記携帯手段に送信すべき電子クーポンを検索することを特徴とする請求項６記載の電子クーポン利用システム。
【請求項８】
運転手に進路を知らせるナビゲーション手段を含むものであり、
前記ナビゲーション手段は、経路検索を行い、経路とその経路で利用できる電子クーポンとを記憶する電子クーポン提供手段に対して検索した経路を送信し、前記電子クーポン提供手段からその経路で利用できる電子クーポンを受信し、電子クーポンを携帯するための携帯手段に受信した前記電子クーポンを転送することを特徴とする電子クーポン利用システム。
【請求項９】
前記電子クーポンには前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを利用できる店舗が近い旨を運転手に告知することを特徴とする請求項８記載の電子クーポン利用システム。
【請求項１０】
前記電子クーポンには前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを表示すべき表示命令を電子クーポンを携帯する携帯手段に送信することを特徴とする請求項８記載の電子クーポン利用システム。
【請求項１１】
経路とその経路で利用できる電子クーポンとを記憶する電子クーポン提供手段を含むものであり、
前記電子クーポン提供手段は、運転手に経路を知らせるナビゲーション手段が検索した経路を受信し、その経路で利用できる前記電子クーポンを前記ナビゲーション手段に対して送信することを特徴とする電子クーポン利用システム。
【請求項１２】
前記経路にはその経路の運転時が含まれ、前記経路関連情報にはクーポンの利用可能時が設定されており、
前記電子クーポン提供手段は、前記運転時と前記利用可能時とに基づいて前記ナビゲーション手段に送信する電子クーポンを検索することを特徴とする請求項１１記載の電子クーポン利用システム。
【請求項１３】
運転手に進路を知らせるナビゲーション手段に処理を命令するものであり、
前記ナビゲーション手段に経路とその経路で利用できる電子クーポンとからなる経路関連情報を受信させ、前記経路を前記ナビゲーション手段に備えられた記憶手段に記憶させ、前記電子クーポンを電子クーポンを携帯するための携帯手段に転送させることを特徴とする電子クーポン利用のためのコンピュータプログラム。
【請求項１４】
前記経路関連情報には前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを利用できる店舗が近い旨を運転手に告知させることを特徴とする請求項１３記載の電子クーポン利用のためのコンピュータプログラム。
【請求項１５】
前記経路関連情報には前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを表示すべき表示命令を電子クーポンを携帯する携帯手段に送信させることを特徴とする請求項１３記載の電子クーポン利用のためのコンピュータプログラム。
【請求項１６】
電子クーポンを携帯するための携帯手段に処理を命令するものであり、
前記携帯手段に、運転手に進路を知らせるナビゲーション手段から表示命令を受信させ、その表示命令に応じて前記携帯手段に備えられている表示手段に前記電子クーポンを表示させることを特徴とする電子クーポン利用のためのコンピュータプログラム。
【請求項１７】
電子クーポンを携帯するための携帯手段に処理を命令するものであり、
前記携帯手段に経路とその経路で利用できる電子クーポンとからなる経路関連情報を受信させ、前記電子クーポンを前記携帯手段に備えられた記憶手段に記憶させ、前記経路を運転手に進路を知らせるナビゲーション手段に転送させることを特徴とする電子クーポン利用のためのコンピュータプログラム。
【請求項１８】
経路とその経路で利用できる電子クーポンとを記憶する電子クーポン提供手段に処理を命令するものであり、
前記電子クーポン提供手段に運転手に進路を知らせるナビゲーション手段又は電子クーポンを携帯するための携帯手段から経路関連情報を要求するための経路要求情報を受信させ、前記経路関連情報を前記ナビゲーション手段又は前記携帯手段に送信させることを特徴とする電子クーポン利用のためのコンピュータプログラム。
【請求項１９】
前記経路情報要求情報には運転時が含まれ、前記経路関連情報にはクーポンの利用可能時が設定されており、
前記電子クーポン提供手段に前記運転時と前記利用可能時とに基づいて前記ナビゲーション手段又は前記携帯手段に送信すべき電子クーポンを検索させることを特徴とする請求項１８記載の電子クーポン利用のためのコンピュータプログラム。
【請求項２０】
運転手に進路を知らせるナビゲーション手段に処理を命令するものであり、
前記ナビゲーション手段に経路検索を行わせ、経路とその経路で利用できる電子クーポンとを記憶する電子クーポン提供手段に対して検索した経路を送信させ、前記電子クーポン提供手段からその経路で利用できる電子クーポンを受信させ、電子クーポンを携帯するための携帯手段に受信した前記電子クーポンを転送させることを特徴とする電子クーポン利用のためのコンピュータプログラム。
【請求項２１】
前記電子クーポンには前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを利用できる店舗が近い旨を運転手に告知させることを特徴とする請求項２０記載の電子クーポン利用のためのコンピュータプログラム。
【請求項２２】
前記電子クーポンには前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを表示すべき表示命令を電子クーポンを携帯する携帯手段に送信させることを特徴とする請求項２０記載の電子クーポン利用のためのコンピュータプログラム。
【請求項２３】
経路とその経路で利用できる電子クーポンとを記憶する電子クーポン提供手段に処理を命令するものであり、
前記電子クーポン提供手段に運転手に経路を知らせるナビゲーション手段が検索した経路を受信させ、その経路で利用できる前記電子クーポンを前記ナビゲーション手段に対して送信させることを特徴とする電子クーポン利用のためのコンピュータプログラム。
【請求項２４】
前記経路にはその経路の運転時が含まれ、前記経路関連情報にはクーポンの利用可能時が設定されており、
前記電子クーポン提供手段に前記運転時と前記利用可能時とに基づいて前記ナビゲーション手段に送信する電子クーポンを検索させることを特徴とする請求項２３記載の電子クーポン利用のためのコンピュータプログラム。
【請求項２５】
運転手に進路を知らせるナビゲーション手段に処理を行わせるものであり、
前記ナビゲーション手段に経路とその経路で利用できる電子クーポンとからなる経路関連情報を受信させ、前記経路を前記ナビゲーション手段に備えられた記憶手段に記憶させ、前記電子クーポンを電子クーポンを携帯するための携帯手段に転送させることを特徴とする電子クーポン利用方法。
【請求項２６】
前記経路関連情報には前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを利用できる店舗が近い旨を運転手に告知させることを特徴とする請求項２５記載の電子クーポン利用方法。
【請求項２７】
前記経路関連情報には前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを表示すべき表示命令を電子クーポンを携帯する携帯手段に送信させることを特徴とする請求項２５記載の電子クーポン利用方法。
【請求項２８】
電子クーポンを携帯するための携帯手段に処理を行わせるものであり、
前記携帯手段に、運転手に進路を知らせるナビゲーション手段から表示命令を受信させ、その表示命令に応じて前記携帯手段に備えられている表示手段に前記電子クーポンを表示させることを特徴とする電子クーポン利用方法。
【請求項２９】
電子クーポンを携帯するための携帯手段に処理を行わせるものであり、
前記携帯手段に経路とその経路で利用できる電子クーポンとからなる経路関連情報を受信させ、前記電子クーポンを前記携帯手段に備えられた記憶手段に記憶させ、前記経路を運転手に進路を知らせるナビゲーション手段に転送させることを特徴とする電子クーポン利用方法。
【請求項３０】
経路とその経路で利用できる電子クーポンとを記憶する電子クーポン提供手段に処理を行わせるものであり、
前記電子クーポン提供手段に運転手に進路を知らせるナビゲーション手段又は電子クーポンを携帯するための携帯手段から経路関連情報を要求するための経路要求情報を受信させ、前記経路関連情報を前記ナビゲーション手段又は前記携帯手段に送信させることを特徴とする電子クーポン利用方法。
【請求項３１】
前記経路情報要求情報には運転時が含まれ、前記経路関連情報にはクーポンの利用可能時が設定されており、
前記電子クーポン提供手段に前記運転時と前記利用可能時とに基づいて前記ナビゲーション手段又は前記携帯手段に送信すべき電子クーポンを検索させることを特徴とする請求項３０記載の電子クーポン利用方法。
【請求項３２】
運転手に進路を知らせるナビゲーション手段に処理を行わせるものであり、
前記ナビゲーション手段に経路検索を行わせ、経路とその経路で利用できる電子クーポンとを記憶する電子クーポン提供手段に対して検索した経路を送信させ、前記電子クーポン提供手段からその経路で利用できる電子クーポンを受信させ、電子クーポンを携帯するための携帯手段に受信した前記電子クーポンを転送させることを特徴とする電子クーポン利用方法。
【請求項３３】
前記電子クーポンには前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを利用できる店舗が近い旨を運転手に告知させることを特徴とする請求項３２記載の電子クーポン利用方法。
【請求項３４】
前記電子クーポンには前記電子クーポンが利用できる店舗の位置を示す店舗位置情報が含まれ、
前記ナビゲーション手段に前記店舗位置情報と車輌の位置とに基づいて店舗と車輌とが一定距離内にあるか否かを判断させ、一定距離内にある場合は前記電子クーポンを表示すべき表示命令を電子クーポンを携帯する携帯手段に送信させることを特徴とする請求項３２記載の電子クーポン利用方法。
【請求項３５】
経路とその経路で利用できる電子クーポンとを記憶する電子クーポン提供手段に処理を行わせるものであり、
前記電子クーポン提供手段に運転手に経路を知らせるナビゲーション手段が検索した経路を受信させ、その経路で利用できる前記電子クーポンを前記ナビゲーション手段に対して送信させることを特徴とする電子クーポン利用方法。
【請求項３６】
前記経路にはその経路の運転時が含まれ、前記経路関連情報にはクーポンの利用可能時が設定されており、
前記電子クーポン提供手段に前記運転時と前記利用可能時とに基づいて前記ナビゲーション手段に送信する電子クーポンを検索させることを特徴とする請求項３５記載の電子クーポン利用方法。
【発明の詳細な説明】
【０００１】
【発明の属する技術分野】
本発明は、自動車でドライブをする際、ドライブルートとともに、そのドライブルート上で利用できる電子クーポンを検索するシステム等に関するものである。
【０００２】
【従来の技術】
近年、カーナビゲーション装置が広く普及しはじめている。これを利用すれば、自動車等の運転手が目的地までの道順を知らなくても、カーナビゲーション装置に目的地の住所又は電話番号等を入力するだけで、カーナビゲーション装置が自動的に目的地の位置を検知し、目的地までの道順を検索して、ドライブ中の運転手に道案内をしてくれるのである（例えば、特許文献１参照）。
一方、最近では電子クーポン（レストラン等で利用できるクーポン券を電子化したもの）の利用も進みつつある。この電子クーポンを利用するには、例えば、携帯電話等を利用してそのお店のホームページにアクセスし、電子クーポンを携帯電話にダウンロードする。そして、ダウンロードした電子クーポンを携帯電話の表示画面に表示させ、その表示内容を店員に見せる等すれば、料金が割引されるなどのサービスを誰でも簡単に受けることができるのである（例えば、特許文献２参照）。
【０００３】
【特許文献１】
特開平６−６６５９０号
【特許文献２】
特開２０００−１９５４７１号
【０００４】
【発明が解決しようとする課題】
このようにカーナビゲーション装置及び電子クーポンは非常に利便性が高く、双方とも今後より広く一般に利用されることが予想される。
しかし、これまでカーナビゲーション技術と電子クーポン技術とは別々に利用されていたので、ドライブをしながら道沿いにある店舗でクーポンを利用したい場合などでは非常に不都合なことがあった。例えば、ドライブルートはカーナビゲーション装置で検索し、そのドライブルート上で利用できる電子クーポンは別途携帯電話やパソコンなどを利用して検索しなければならず、作業が非常に面倒であった。特に、そのドライブルート上にどんな店のどんなクーポンがあるかを調べるのは容易ではなく、これを解決する手段が求められるところである。
本発明は、このような問題に鑑みなされたものであり、ドライブルート上で利用できるクーポンを容易に検索でき、且つ電子クーポンの入手・携帯を容易にしたシステム等に関するものである。
【０００５】
【課題を解決するための手段】
本発明は、例えば、次のようなシステム、次のような処理を行わせる方法、コンピュータプログラムである。
（１）  運転手に進路を知らせるナビゲーション手段を含むものであり、
前記ナビゲーション手段は、経路とその経路で利用できる電子クーポンとからなる経路関連情報を受信し、前記経路を前記ナビゲーション手段に備えられた記憶手段に記憶し、前記電子クーポンを電子クーポンを携帯するための携帯手段に転送する。
（２）  前記経路関連情報には前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを利用できる店舗が近い旨を運転手に告知する。
（３）  前記経路関連情報には前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを表示すべき表示命令を電子クーポンを携帯する携帯手段に送信する。
（４）  電子クーポンを携帯するための携帯手段を含むものであり、
前記携帯手段は、運転手に進路を知らせるナビゲーション手段から表示命令を受信し、その表示命令に応じて前記携帯手段に備えられている表示手段に前記電子クーポンを表示する。
（５）  電子クーポンを携帯するための携帯手段を含むものであり、
前記携帯手段は、経路とその経路で利用できる電子クーポンとからなる経路関連情報を受信し、前記電子クーポンを前記携帯手段に備えられた記憶手段に記憶し、前記経路を運転手に進路を知らせるナビゲーション手段に転送する。
（６）  経路とその経路で利用できる電子クーポンとを記憶する電子クーポン提供手段を含むものであり、
前記電子クーポン提供手段は、運転手に進路を知らせるナビゲーション手段又は電子クーポンを携帯するための携帯手段から経路関連情報を要求するための経路要求情報を受信し、前記経路関連情報を前記ナビゲーション手段又は前記携帯手段に送信する。
（７）  前記経路情報要求情報には運転時が含まれ、前記経路関連情報にはクーポンの利用可能時が設定されており、
前記電子クーポン提供手段は、前記運転時と前記利用可能時とに基づいて前記ナビゲーション手段又は前記携帯手段に送信すべき電子クーポンを検索する。
（８）運転手に進路を知らせるナビゲーション手段を含むものであり、
前記ナビゲーション手段は、経路検索を行い、経路とその経路で利用できる電子クーポンとを記憶する電子クーポン提供手段に対して検索した経路を送信し、前記電子クーポン提供手段からその経路で利用できる電子クーポンを受信し、電子クーポンを携帯するための携帯手段に受信した前記電子クーポンを転送する。
（９）前記電子クーポンには前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを利用できる店舗が近い旨を運転手に告知する。
（１０）前記電子クーポンには前記電子クーポンが利用できる店舗の位置を示す店舗位置情報が含まれ、
前記ナビゲーション手段は、前記店舗位置情報と車輌の位置とに基づいて店舗と車輌とが一定距離内にあるか否かを判断し、一定距離内にある場合は前記電子クーポンを表示すべき表示命令を電子クーポンを携帯する携帯手段に送信する。
（１１）  経路とその経路で利用できる電子クーポンとを記憶する電子クーポン提供手段を含むものであり、
前記電子クーポン提供手段は、運転手に経路を知らせるナビゲーション手段が検索した経路を受信し、その経路で利用できる前記電子クーポンを前記ナビゲーション手段に対して送信する。
（１２）  前記経路にはその経路の運転時が含まれ、前記経路関連情報にはクーポンの利用可能時が設定されており、
前記電子クーポン提供手段は、前記運転時と前記利用可能時とに基づいて前記ナビゲーション手段に送信する電子クーポンを検索する。
【０００６】
【発明の第一実施形態】
本発明の第一実施形態を図に基づいて説明する。図１は本発明の実施に必要なハードウェアとそのハードウェアの結びつきを表した概略図である。
これらハードウェアは、サーバー１とナビゲーション装置２（カーナビゲーション装置）と携帯電話３とからなる。
サーバー１とナビゲーション装置２とはインターネット４（或は、その他の通信手段）によりデータの送受信が可能なものとなっており、サーバー１と携帯電話３ともインターネット４（或は、その他の通信手段）によりデータの送受信が可能なものとなっている。また、ナビゲーション装置２と携帯電話３とは赤外線通信（或は、その他の通信手段）によりデータの送受信が可能なものである。
サーバー１、ナビゲーション装置２、携帯電話３はデータを記憶するための記憶装置（記憶手段としての記憶装置）とデータを送受信するためのデータ送信部並びにデータ受信部とを各々内蔵し、それらを用いてデータの送受信を行う。
各々の記憶装置には本発明を実現するためのコンピュータプログラムや所定のデータが記憶されており、サーバー１、ナビゲーション装置２、携帯電話３はこのコンピュータプログラムの処理命令に従って所定の処理を行う。カーナビゲーション装置２は、インターネット４を介してＷＥＢサイトが閲覧可能であり、データを表示するための表示モニタ１１とデータ入力のための入力手段１２とスピーカー１３を備え、携帯電話３はデータを表示するための表示モニタ２１とデータ入力のための入力手段２２を備えている。
なお、本実施形態では、サーバー１が電子クーポン提供手段としての役割を果し、ナビゲーション装置２がナビゲーション手段としての役割を果し、携帯電話３が携帯手段としての役割を果す。
【０００７】
次に、本発明を実現するための処理手順について説明する。本発明の処理手順は図２の通りであり、＜ドライブルート選択：ＳＴＥＰ１＞→＜ルートファイル検索：ＳＴＥＰ２＞→＜クーポン検索：ＳＴＥＰ３＞→＜クーポンダウンロード：ＳＴＥＰ４＞→＜クーポン転送：ＳＴＥＰ５＞→＜クーポン告知・表示：ＳＴＥＰ６＞の手順で行う。以下、これら処理について説明する。
【０００８】
＜ドライブルート選択：ＳＴＥＰ１＞
東京都在住の三田一夫さんはドライブ旅行が趣味であり、今回もドライブをしてある街に着いた。三田さんはこれから幾つかの観光ポイントを訪れたいと考えている。三田さんの車にはナビゲーション装置２が備えられており、三田さんはこのナビゲーション装置２を利用してドライブコースを紹介しているＷＥＢサイトにアクセスした。これによりドライブコースを紹介する内容が表示モニタ１１に表示される（図３）。
三田さんは「○○駅→○○寺→○○記念館」を巡るコース（コース番号：３）が気に入り、画面下のコース入力エリアに「コース番号：３、ドライブ予定：２００３年４月５日ＡＭ１１：００」を入力し、送信をクリックした。これによりコース選択データ「コース番号：３、ドライブ予定：２００３年４月５日ＡＭ１１：００」がナビゲーション装置２からサーバー１に送信される。なお、本実施形態では、このコース選択データが経路要求情報としての役割を果し、ドライブ予定が運転時としての役割を果す。
【０００９】
＜ルートファイル検索：ＳＴＥＰ２＞
サーバー１には図４のようなルートファイル「コース番号：１、ドライブコース：○○駅→○○寺→○○岬、経路：道路１→道路４→道路６／コース番号：２、ドライブコース：○○駅→○○タワー→○○博物館、経路：道路１→道路２→道路８／コース番号：３、ドライブコース：○○駅→○○寺→○○記念館、経路：道路１→道路４→道路５／……」が記憶されている。
コース選択データを受信したサーバー１は、コース選択データに含まれる「コース番号：３」に基づいてルートファイルを検索し、コースの経路を特定する。これにより三田さんがドライブする経路（ドライブルート）は「道路１→道路４→道路５」であることが特定される。なお、この街の道路は図５のような構成になっているものとする。また、経路とは主に出発地から目的地までのドライブルートを意味するものである。このうち出発地とは三田さんの車の現在位置であってもよいし、現在位置以外の所であってもよい。さらに、経路とはいわゆる観光ルートや周遊ルートのようなものであってもよい。
【００１０】
＜クーポン検索：ＳＴＥＰ３＞
サーバー１には図６のようなクーポンファイル（経路とその経路で利用できる電子クーポンとその利用可能時とを対応づけた複数のレコードからなるファイル）ファイル）「道路番号：１、クーポン（クーポン番号）：レストランＡコーヒー無料券（Ａ０１）、Ｘ１−Ｙ１、利用可能時：制限なし／道路番号：１、クーポン（クーポン番号）：コンビニエンスストアＢおにぎり５０円割引券（Ｂ０１）、Ｘ２−Ｙ２、利用可能時：制限なし／道路番号：２、クーポン（クーポン番号）：映画館Ｃ３００円割引券（Ｃ０１）、Ｘ３−Ｙ３、利用可能時：制限なし／道路番号：３、クーポン（クーポン番号）：パン屋Ｄミルク１本無料券（Ｄ０１）、Ｘ４−Ｙ４、利用可能時：制限なし／道路番号：４、クーポン（クーポン番号）：レストランＥ
モーニングセット１００円割引券（Ｅ０１）、Ｘ５−Ｙ５、利用可能時：ＡＭ７：００からＡＭ９：００まで／道路番号：４、クーポン（クーポン番号）：レストランＥ
ランチ１５０円割引券（Ｅ０２）、Ｘ６−Ｙ６、利用可能時：ＡＭ１１：００からＰＭ２：００まで／道路番号：５、クーポン（クーポン番号）：バーガーショップＦハンバーガー１００円割引券（Ｆ０１）、Ｘ７−Ｙ７、利用可能時：制限なし／道路番号：６、クーポン（クーポン番号）：美術館Ｇ入場料半額券（Ｇ０１）、Ｘ８−Ｙ８、利用可能時：制限なし」が記憶されている。
【００１１】
経路「道路１→道路４→道路５」を特定したサーバー１は、この経路及びコース選択データに含まれる「ドライブ予定：２００３年４月５日ＡＭ１１：００」に基づいてクーポンファイルを検索し、特定した経路で利用できるクーポンを検索する。即ち、道路１で利用できるクーポン「Ａ０１、Ｂ０１」、道路４で利用できるクーポン「Ｅ０２」、道路５で利用できるクーポン「Ｆ０１」を検索する。なお、クーポン「Ｅ０１」も道路４で利用できるものであるが、三田さんのドライブ予定「ＡＭ１１：００」が、「Ｅ０１」の利用可能時「ＡＭ７：００からＡＭ９：００まで」に含まれないので、ここでは「Ｅ０１」は検索されない。
【００１２】
＜クーポンダウンロード：ＳＴＥＰ４＞
これら処理を経てサーバー１は図７のような第１クーポンデータ「道路番号：１、クーポン（クーポン番号）：レストランＡコーヒー無料券（Ａ０１）、Ｘ１−Ｙ１／道路番号：１、クーポン（クーポン番号）：コンビニエンスストアＢおにぎり５０円割引券（Ｂ０１）、Ｘ２−Ｙ２／道路番号：４、クーポン（クーポン番号）：レストランＥランチ１５０円割引券（Ｅ０２）、Ｘ６−Ｙ６／道路番号：５、クーポン（クーポン番号）：バーガーショップＦハンバーガー１００円割引券（Ｆ０１）、Ｘ７−Ｙ７」を作成する。
また、図８のようなルート情報「出発地→道路１→道路４→道路５→目的地」を作成する。
そして、サーバー１はこの第１クーポンファイルとルート情報をナビゲーション装置２に送信し、それを受信したナビゲーション装置２はそれらを記憶装置に記憶する。なお、本実施形態では、第１クーポンファイルとルート情報とからなるデータが経路関連情報としの役割を果し、店舗位置（「Ｘ１−Ｙ１」など）が店舗位置情報としての役割を果す。また、ここでは「Ｘ１」等は緯度を「Ｙ１」等は経度を意味するものとする。
【００１３】
＜クーポン転送：ＳＴＥＰ５＞
第１クーポンファイルを受信したナビゲーション装置２は、それに基づいて図９のような第２クーポンデータ「道路番号：１、クーポン（クーポン番号）：レストランＡコーヒー無料券（Ａ０１）／道路番号：１、クーポン（クーポン番号）：コンビニエンスストアＢおにぎり５０円割引券（Ｂ０１）／道路番号：４、クーポン（クーポン番号）：レストランＥランチ１５０円割引券（Ｅ０２）／道路番号：５、クーポン（クーポン番号）：バーガーショップＦハンバーガー１００円割引券（Ｆ０１）」を作成し、これを携帯電話３に転送（送信）する。そして、第２クーポンデータを受信した携帯電話３はそれを記憶装置に記憶する。
【００１４】
＜クーポン告知・表示：ＳＴＥＰ６＞
経路と電子クーポンをダウンロードした三田さんは早速ドライブに出発した。
ナビゲーション装置２は三田さんに道案内をすると共に、人工衛星（ＧＰＳ）から受信した車輌（三田さんの車）の位置と第一クーポンファイルに含まれる店舗位置（例えば、クーポン「Ａ０１」ならばその店舗の位置「Ｘ１−Ｙ１」）とを定期的に比較し、両者の位置が一定距離内（例えば、５００メートル以内）にあるか否かを判断し、一定距離内になったと判断した場合、告知処理と表示命令処理を行う。以下、これら処理について説明する。
［告知処理］ナビゲーション装置２はスピーカー１３から「クーポンが利用できるレストランＡに近づきました」などの音声を流し、三田さんにクーポンが利用できる店舗が近い旨を告知する。このようにすれば三田さんはクーポンが利用できる店舗に近づいたことを容易に知ることができる。
［表示命令処理］ナビゲーション装置２は一定距離内にある店舗（クーポンが利用できる店舗）の表示命令（例えば、「表示命令：Ａ０１」などの情報）を携帯電話３に送信する。これを受信した携帯電話は、「表示命令：Ａ０１」に応じて表示すべき電子クーポンを検索し、検索されたクーポン「Ａ０１」の内容を携帯電話３の表示モニタ２１に表示する。このようにすれば、三田さんがわざわざ携帯電話３を操作してクーポンを表示させる手間が省ける。
以上が、第一実施形態であり、このようにすればドライブルートで利用できる電子クーポンを容易に検索・携帯することができる。
なお、本実施形態では、＜クーポン転送：ＳＴＥＰ５＞にて予め携帯電話３に電子クーポンを送信しているが、＜クーポン転送：ＳＴＥＰ５＞を行わず、表示命令と共に表示させる電子クーポンを表示命令を発する都度送信して表示モニタ２１に表示するようにしてもよい。
【００１５】
【発明の第二実施形態】
本発明の第二実施形態を図に基づいて説明する。前述の第一実施形態では、データの流れはサーバー１→ナビゲーション装置２→携帯電話３の順であったが、第二実施形態ではサーバー１→携帯電話３→ナビゲーション装置２の順となる。以下、これらの処理について説明する。なお、処理内容はほぼ第一実施形態と同様なので、第一実施形態と異なる部分だけを説明する。
【００１６】
まず、本実施形態で利用するハードウェアについて説明する。本実施形態で利用するハードウェアは第一実施形態（図１）と同じである。
次に、本発明を実現するための処理手順について説明する。本発明の処理手順も第一実施形態と同様であり、図２の通り＜ドライブルート選択：ＳＴＥＰ１＞→＜ルートファイル検索：ＳＴＥＰ２＞→＜クーポン検索：ＳＴＥＰ３＞→＜クーポンダウンロード：ＳＴＥＰ４＞→＜クーポン転送：ＳＴＥＰ５＞→＜クーポン告知・表示：ＳＴＥＰ６＞の手順で行う。
【００１７】
＜ドライブルート選択：ＳＴＥＰ１＞
ドライブルートの選択に関する処理も第一実施形態とほぼ同様である。ただし、本実施形態の場合、ＷＥＢサイトへのアクセス及びコース選択データの送信はナビゲーション装置２ではなく携帯電話３が行う。
＜ルートファイル検索：ＳＴＥＰ２＞
ルートファイル検索処理は第一実施形態と同様である。
＜クーポン検索：ＳＴＥＰ３＞
クーポン検索処理は第一実施形態と同様である。
【００１８】
＜クーポンダウンロード：ＳＴＥＰ４＞
クーポンダウンロード処理もほぼ第一実施形態と同様である。ただし、本実施形態の場合、サーバー１で作成された第１クーポンデータ（図７）及びルート情報（図８）はナビゲーション装置２にではなく携帯電話３に送信される。これらを受信した携帯電話３は受信した情報に基づいて第２クーポンデータ（図９）を作成し、それを記憶装置に記憶する。なお、本実施形態では、このルート情報が経路としての役割を果し、第１クーポンファイルとルート情報とからなるデータが経路関連情報としの役割を果す。
【００１９】
＜クーポン転送：ＳＴＥＰ５＞
携帯電話３は、サーバー１からダウンロードした第１クーポンデータ（図７）及びルート情報（図８）をナビゲーション装置２に転送（送信）し、それを受信したナビゲーション装置２はそれらを記憶装置に記憶する。
＜クーポン告知・表示：ＳＴＥＰ６＞
クーポン告知・表示処理は第一実施形態と同様である。
【００２０】
このように、データの流れをサーバー１→携帯電話３→ナビゲーション装置２の順にすることもできる。
【００２１】
【発明の第三実施形態】
本発明の第三実施形態を図に基づいて説明する。前述の第一実施形態では、電子クーポンとともにルート情報をダウンロードしているが、本実施形態では電子クーポンのみをダウンロードするものである。即ち、経路の検索はナビゲーション装置２が行い、その経路で利用できる電子クーポンのみをダウンロードするものである。
以下、これらの処理について説明する。なお、処理内容はほぼ第一実施形態と同様なので、第一実施形態と異なる部分だけを説明する。
【００２２】
まず、本実施形態で利用するハードウェアについて説明する。本実施形態で利用するハードウェアは第一実施形態（図１）と同じである。
次に、本発明を実現するための処理手順について説明する。本発明の処理手順は第一実施形態と若干異なり、図１０の通り＜ドライブルート検索：ＳＴＥＰ１＞→＜クーポン検索：ＳＴＥＰ２＞→＜クーポンダウンロード：ＳＴＥＰ３＞→＜クーポン転送：ＳＴＥＰ４＞→＜クーポン告知・表示：ＳＴＥＰ５＞の手順で行う。
【００２３】
＜ドライブルート検索：ＳＴＥＰ１＞
ドライブルートの選択に関する処理は第一実施形態と大きく異なる。本実施形態ではまず、三田さんが目的地の情報（住所又は電話番号等）をナビゲーション装置２に入力する。そして、ナビゲーション装置２が出発地（三田さんが今いる場所）から目的地までの経路を検索する。例えば、図５のような場合は、経路は「道路１→道路４→道路５」となり、経路の検索結果が図１１のように表示される（なお、この時点でドライブ予定には何も入力されていないものとする）。三田さんはドライブ予定に予定時刻「２００３年４月５日ＡＭ１１：００」を入力し、送信をクリックする。これによりコース検索データ「経路：道路１→道路４→道路５、ドライブ予定：２００３年４月５日ＡＭ１１：００」をナビゲーション装置２が作成し、それをサーバー１に送信する。
＜クーポン検索：ＳＴＥＰ２＞
コース検索データを受信したサーバー１は、コース検索データに含まれる経路「道路１→道路４→道路５」に基づいてクーポンファイル（図６）を検索し、ドライブルートで利用できるクーポンを特定する。なお、この検索処理の内容は第一実施形態と同様である。
【００２４】
＜クーポンダウンロード：ＳＴＥＰ３＞
サーバー１は、検索結果に基づいて図９のような第２クーポンデータを作成し、それをナビゲーション装置２に送信する。
＜クーポン転送：ＳＴＥＰ４＞
第２クーポンデータを受信したナビゲーション装置２は、それを携帯電話３に転送する。
＜クーポン告知・表示：ＳＴＥＰ５＞
このクーポン告知・表示処理は第一実施形態と同様である。
【００２５】
以上のように、経路の検索はナビゲーション装置２が行い、電子クーポンだけをダウンロードするようにしてもよい。
【００２６】
なお、上記実施形態おいては特定のケースについて説明したが、本発明はこれら特定のケースに限るものではない。例えば、次のようなケースであっても構わない。
（１）上記実施形態では、特定の電子クーポンを例にして説明したが、本発明はこれに限るものではなく、あらゆる電子クーポンに利用できるものである。また、利用可能時を「ＡＭ１１：００からＰＭ２：００まで」のように時間としているが、これを「月曜日と火曜日」などのように曜日としてもよい（この他どのようなものであっても構わない）。
（２）データの内容は実施形態で説明したデータに限らない。即ち、同様の役割を果たすことができれば、他のどのようなデータであっても構わない。
（３）ハードウェアも実施形態で説明したものに限らない。即ち、同様の役割を果たすことができれば、他のどのようなハードウェアであっても構わない。例えば、携帯手段は携帯電話に限らず、ＰＨＳや携帯型の小型コンピュータなどを利用してもよい。
（４）処理の内容や手順についても実施形態で説明したものに限らない。即ち、同様の役割を果たすことができれば、他のどのような処理内容・処理手順であっても構わない。
（５）上記実施形態に登場するデータ（データレコード、ファイル）のデータ（データ項目）は、原則として各々関連づけられて（対応づけられて）記憶装置に記憶されているものとする。図面に表されたものについても同様である。
【００２７】
【発明の効果】
本発明には次のような効果がある。
（１）本発明を利用すれば、ドライブ中に利用できる電子クーポンを容易に検索・入手できる。
（２）本発明は、ナビゲーション装置から携帯電話等に電子クーポンを転送するので、電子クーポンを容易に携帯することができる。即ち、電子クーポンを利用するために店舗までナビゲーション装置を持参しなければならいないという不都合を回避できる。
（３）本発明は、携帯電話等の携帯手段が経路と電子クーポンを受信し、経路をナビゲーション装置に転送するので、ナビゲーション装置がインターネットにアクセスできないものであっても対応できる（携帯電話経由で経路をナビゲーション装置に転送・記憶させることができる）。
（４）電子クーポンを利用できる店舗に近づいたことを運転手に告知するので、運転手は店舗が近いことを容易に知ることができ、クーポンが利用できることを知らずにその店を通り越してしまうという不都合を回避できる。
（５）電子クーポンを利用できる店舗に近づいた場合に携帯電話にその電子クーポンの内容を自動的に表示するので、電子クーポンを探す手間及び表示させる手間を省くことができる。
【図面の簡単な説明】
【図１】本発明で利用するハードウェアの概略を示す図である。
【図２】第一実施形態における処理フローを表した図である。
【図３】ドライブルート選択画面を表した図である。
【図４】ルートファイルを表した図である。
【図５】道路地図を表した図である。
【図６】クーポンファイルを表した図である。
【図７】第１クーポンデータを表した図である。
【図８】ルート情報を表した図である。
【図９】第２クーポンデータを表した図である。
【図１０】第二実施形態における処理フローを表した図である。
【図１１】ルート検索結果を表した図である。
【符号の説明】
１    サーバー
２    ナビゲーション装置
３    携帯電話
４    インターネット
１１  表示モニタ
１２  入力手段
１３  スピーカー
２１  表示モニタ
２２  テンキー
【図１】
2004279299.tif 000003
【図２】
2004279299.tif 000004
【図３】
2004279299.tif 000005
【図４】
2004279299.tif 000006
【図５】
2004279299.tif 000007
【図６】
2004279299.tif 000008
【図７】
2004279299.tif 000009
【図８】
2004279299.tif 000010
【図９】
2004279299.tif 000011
【図１０】
2004279299.tif 000012
【図１１】
2004279299.tif 000013